(57)【要約】【課題】インテリアとしての機能を損なうことなく各種情報を簡便に閲覧可能とする画像表示装置を提供する。【解決手段】人の存在を検知する検知手段６４と、画像表示装置１０の使用に係る履歴情報を保存する履歴保存手段６２と、検知手段６４により人の存在が検知された場合には、履歴保存手段６２により保存された履歴情報を取得する履歴取得手段６６と、その履歴取得手段６６により取得された履歴情報に応じた表示情報である割込情報７４を、スライドショー表示制御において切り替え表示される複数の画像に予め定められた条件で割り込ませる割込制御手段７０とを、備えたものであることから、人の存在が検知された場合に画像表示装置１０に係る各種情報をスライドショー表示制御に割り込ませて表示させることができる。【選択図】図３
2011209831.tif 000002
【特許請求の範囲】
【請求項１】
複数の画像をディスプレイに順次切替表示させるスライドショー表示制御を実行するスライドショー表示制御手段を備えた画像表示装置であって、
人の存在を検知する検知手段と、
前記画像表示装置の使用に係る履歴情報を保存する履歴保存手段と、
前記検知手段により人の存在が検知された場合には、前記履歴保存手段により保存された履歴情報を取得する履歴取得手段と、
該履歴取得手段により取得された履歴情報に応じた表示情報を、前記スライドショー表示制御において切り替え表示される複数の画像に予め定められた条件で割り込ませる割込制御手段と
を、備えたものであることを特徴とする画像表示装置。
【請求項２】
前記検知手段は、前記画像表示装置の複数の使用者それぞれを識別する検知を行うものであり、
前記履歴保存手段は、前記画像表示装置の複数の使用者毎の使用に係る履歴情報を各使用者と対応付けて保存するものであり、
前記履歴取得手段は、前記検知手段により識別された使用者に対応付けられて保存された履歴情報を取得するものである
請求項１に記載の画像表示装置。
【請求項３】
前記割込制御手段は、前記履歴取得手段により複数の使用者に対応付けられた履歴情報が取得された場合には、各使用者に対応付けられた履歴情報に応じた表示情報が前記スライドショー表示制御において交互に表示されるように、それらの表示情報を前記複数の画像に割り込ませるものである
請求項１又は２に記載の画像表示装置。
【請求項４】
前記割込制御手段は、前記履歴取得手段により複数の履歴情報が取得された場合には、各履歴情報の日時に基づいて前記複数の画像への割り込み順を決定するものである
請求項１から３の何れか１項に記載の画像表示装置。
【請求項５】
前記履歴保存手段は、通信回線を介して送受信される音声情報の着信に係る履歴情報、電子メールの着信に係る履歴情報、ファクシミリ情報の着信に係る履歴情報、及び前記画像表示装置に機能的に備えられたアプリケーションの使用に係る履歴情報のうち少なくとも１つを保存するものである
請求項１から４の何れか１項に記載の画像表示装置。
【請求項６】
前記スライドショー表示制御手段は、前記割込制御手段により割り込まされた表示情報が前記スライドショー表示制御において表示されたか否かを示す再生フラグを記憶すると共に、該再生フラグに基づいて該当するスライドショー表示制御における前記割込制御手段により割り込まされた表示情報の表示を制御するものである
請求項１から５の何れか１項に記載の画像表示装置。
【請求項７】
複数の画像をディスプレイに順次切替表示させるスライドショー表示制御を実行するスライドショー表示制御手段を備えた画像表示装置における画像表示方法であって、
人の存在を検知する検知過程と、
前記画像表示装置の使用に係る履歴情報を保存する履歴保存過程と、
前記検知過程において人の存在が検知された場合には、前記履歴保存過程において保存された履歴情報を取得する履歴取得過程と、
該履歴取得過程において取得された履歴情報に応じた表示情報を、前記スライドショー表示制御において切り替え表示される複数の画像に予め定められた条件で割り込ませる割込制御過程と
を、含むことを特徴とする画像表示方法。
【請求項８】
複数の画像をディスプレイに順次切替表示させるスライドショー表示制御を実行するスライドショー表示制御手段を備えた画像表示装置の制御部を、
人の存在を検知する検知手段、
前記画像表示装置の使用に係る履歴情報を保存する履歴保存手段、
前記検知手段により人の存在が検知された場合には、前記履歴保存手段により保存された履歴情報を取得する履歴取得手段、
及び該履歴取得手段により取得された履歴情報に応じた表示情報を、前記スライドショー表示制御において切り替え表示される複数の画像に予め定められた条件で割り込ませる割込制御手段
として機能させることを特徴とする画像表示プログラム。
【発明の詳細な説明】
【技術分野】
【０００１】
本発明は、複数の画像を順次切替表示させるスライドショー表示制御を実行する画像表示装置、画像表示方法、及び画像表示プログラムに関し、特に、インテリアとしての機能を損なうことなく各種情報を簡便に閲覧可能とするための改良に関する。
【背景技術】
【０００２】
所定の記憶媒体に記憶された画像情報を読み出し、その画像情報をディスプレイに表示させる画像表示装置として所謂デジタルフォトフレームが広く一般に用いられている。また、そのようなデジタルフォトフレームの一態様として、複数の画像を所定の時間間隔で順次切替表示させるスライドショー表示制御を実行するものが知られている。例えば、室内に設置されたデジタルフォトフレームにおいて斯かるスライドショー表示制御が行われることで、そのデジタルフォトフレームがインテリア（室内装飾）として機能する効果が期待されている。
【０００３】
また、人の存在を検知する人体検知センサを備え、その人体検知センサによる検知結果に応じて所定の動作を実行する画像表示装置が提案されている。例えば、特許文献１に記載された画像出力装置がそれである。この技術によれば、人の存在を検知する人体検知センサを備え、その人体検知センサによる検知結果に応じて音声ガイダンスの出力や表示切替等を行うことで、操作性の向上を可能とすることができるとされている。
【先行技術文献】
【特許文献】
【０００４】
【特許文献１】特開２００６−１６３６７１号公報
【発明の概要】
【発明が解決しようとする課題】
【０００５】
しかし、前記スライドショー表示制御を実行中である画像表示装置に前記従来の技術が適用されることを考えた場合、人の存在が検知されたことに基づく表示切替によりスライドショー表示制御が途切れてしまい、インテリアとしての機能を損なうおそれがあった。一方、前記画像表示装置に係る各種情報をいち早く通知するためには、人の存在が検知されたことに基づいて表示させることが望ましいが、インテリアとしての機能を損なうことなく各種情報を簡便に閲覧可能とする技術は、未だ開発されていないのが現状である。
【０００６】
本発明は、以上の事情を背景として為されたものであり、その目的とするところは、インテリアとしての機能を損なうことなく各種情報を簡便に閲覧可能とする画像表示装置、画像表示方法、及び画像表示プログラムを提供することにある。
【課題を解決するための手段】
【０００７】
斯かる目的を達成するために、本第１発明の要旨とするところは、複数の画像をディスプレイに順次切替表示させるスライドショー表示制御を実行するスライドショー表示制御手段を備えた画像表示装置であって、人の存在を検知する検知手段と、前記画像表示装置の使用に係る履歴情報を保存する履歴保存手段と、前記検知手段により人の存在が検知された場合には、前記履歴保存手段により保存された履歴情報を取得する履歴取得手段と、その履歴取得手段により取得された履歴情報に応じた表示情報を、前記スライドショー表示制御において切り替え表示される複数の画像に予め定められた条件で割り込ませる割込制御手段とを、備えたことを特徴とするものである。
【０００８】
また、前記目的を達成するために、本第２発明の要旨とするところは、複数の画像をディスプレイに順次切替表示させるスライドショー表示制御を実行するスライドショー表示制御手段を備えた画像表示装置における画像表示方法であって、人の存在を検知する検知過程と、前記画像表示装置の使用に係る履歴情報を保存する履歴保存過程と、前記検知過程において人の存在が検知された場合には、前記履歴保存過程において保存された履歴情報を取得する履歴取得過程と、その履歴取得過程において取得された履歴情報に応じた表示情報を、前記スライドショー表示制御において切り替え表示される複数の画像に予め定められた条件で割り込ませる割込制御過程とを、含むことを特徴とするものである。
【０００９】
また、前記目的を達成するために、本第３発明の要旨とするところは、複数の画像をディスプレイに順次切替表示させるスライドショー表示制御を実行するスライドショー表示制御手段を備えた画像表示装置の制御部を、人の存在を検知する検知手段、前記画像表示装置の使用に係る履歴情報を保存する履歴保存手段、前記検知手段により人の存在が検知された場合には前記履歴保存手段により保存された履歴情報を取得する履歴取得手段、及びその履歴取得手段により取得された履歴情報に応じた表示情報を、前記スライドショー表示制御において切り替え表示される複数の画像に予め定められた条件で割り込ませる割込制御手段として機能させることを特徴とする画像表示プログラムである。
【発明の効果】
【００１０】
このように、前記第１発明によれば、人の存在が検知された場合に前記画像表示装置に係る各種情報をスライドショー表示制御に割り込ませて表示させることができる。すなわち、インテリアとしての機能を損なうことなく各種情報を簡便に閲覧可能とする画像表示装置を提供することができる。
【００１１】
ここで、前記第１発明において、好適には、前記検知手段は、前記画像表示装置の複数の使用者それぞれを識別する検知を行うものであり、前記履歴保存手段は、前記画像表示装置の複数の使用者毎の使用に係る履歴情報を各使用者と対応付けて保存するものであり、前記履歴取得手段は、前記検知手段により識別された使用者に対応付けられて保存された履歴情報を取得するものである。このようにすれば、前記画像表示装置の複数の使用者それぞれの存在が検知された場合に、各使用者に係る履歴情報をスライドショー表示制御に割り込ませて表示させることができる。
【００１２】
また、好適には、前記割込制御手段は、前記履歴取得手段により複数の使用者に対応付けられた履歴情報が取得された場合には、各使用者に対応付けられた履歴情報に応じた表示情報が前記スライドショー表示制御において交互に表示されるように、それらの表示情報を前記複数の画像に割り込ませるものである。このようにすれば、複数の使用者それぞれに係る履歴情報を偏りなくスライドショー表示制御に割り込ませて表示させることができる。
【００１３】
また、好適には、前記割込制御手段は、前記履歴取得手段により複数の履歴情報が取得された場合には、各履歴情報の日時に基づいて前記複数の画像への割り込み順を決定するものである。このようにすれば、複数の履歴情報を取得が新しいものから順に、或いは取得が古いものから順にスライドショー表示制御に割り込ませて表示させることができる。
【００１４】
また、好適には、前記履歴保存手段は、通信回線を介して送受信される音声情報の着信に係る履歴情報、電子メールの着信に係る履歴情報、ファクシミリ情報の着信に係る履歴情報、及び前記画像表示装置に機能的に備えられたアプリケーションの使用に係る履歴情報のうち少なくとも１つを保存するものである。このようにすれば、電話の通信履歴、新着電子メール、各種アプリケーションの使用履歴、及びファクシミリの受信履歴等の履歴情報を、スライドショー表示制御に割り込ませて表示させることができる。
【００１５】
また、好適には、前記スライドショー表示制御手段は、前記割込制御手段により割り込まされた表示情報が前記スライドショー表示制御において表示されたか否かを示す再生フラグを記憶すると共に、その再生フラグに基づいて該当するスライドショー表示制御における前記割込制御手段により割り込まされた表示情報の表示を制御するものである。このようにすれば、例えば該当するスライドショー表示制御において所定の回数表示された表示情報は以降表示させないというように、前記割込制御手段により割り込まされた表示情報の表示を好適に制御することができる。
【００１６】
また、前記第２発明によれば、人の存在が検知された場合に各種情報をスライドショー表示制御に割り込ませて表示させることができる。すなわち、画像表示装置のインテリアとしての機能を損なうことなく各種情報を簡便に閲覧可能とする画像表示方法を提供することができる。
【００１７】
また、前記第３発明によれば、人の存在が検知された場合に前記画像表示装置に係る各種情報をスライドショー表示制御に割り込ませて表示させることができる。すなわち、画像表示装置のインテリアとしての機能を損なうことなく各種情報を簡便に閲覧可能とする画像表示プログラムを提供することができる。
【図面の簡単な説明】
【００１８】
【図１】本発明の一実施例である画像表示装置の外観の概要を示す図である。
【図２】図１の画像表示装置に備えられた構成を説明するブロック線図である。
【図３】図１の画像表示装置の制御部に備えられた制御機能の要部を説明する機能ブロック線図である。
【図４】図１の画像表示装置によるスライドショー表示制御において、表示装置に複数の画像が断続的に切替表示される様子を説明する図である。
【図５】図１の画像表示装置の使用に係る履歴情報を記憶する履歴データベースを例示する図である。
【図６】図５に示す履歴データベースに記憶された履歴情報の１つに対応して作成される割込情報を例示する図である。
【図７】図５に示す履歴データベースに記憶された履歴情報の１つに対応して作成される割込情報を例示する図である。
【図８】図５に示す履歴データベースに記憶された履歴情報の１つに対応して作成される割込情報を例示する図である。
【図９】図５に示す履歴データベースに記憶された履歴情報の１つに対応して作成される割込情報を例示する図である。
【図１０】図５に示す履歴データベースに記憶された履歴情報の１つに対応して作成される割込情報を例示する図である。
【図１１】図５に示す履歴データベースに記憶された履歴情報の１つに対応して作成される割込情報を例示する図である。
【図１２】図１の画像表示装置により一人の使用者の存在が検知された場合におけるスライドショー表示制御の一例について説明する図である。
【図１３】図１の画像表示装置により複数の使用者の存在が検知された場合におけるスライドショー表示制御の一例について説明する図である。
【図１４】図１の画像表示装置により複数の使用者の存在が検知された場合におけるスライドショー表示制御の他の一例について説明する図である。
【図１５】図１の画像表示装置の制御部によるスライドショー表示制御の要部を説明するフローチャートである。
【発明を実施するための形態】
【００１９】
以下、本発明の好適な実施例を図面に基づいて詳細に説明する。
【実施例】
【００２０】
図１は、本発明の一実施例である画像表示装置１０の外観の概要を示す図である。また、図２は、画像表示装置１０に備えられた構成を説明するブロック線図である。これらの図に示すように、本実施例の画像表示装置１０は、所定の画像（映像）を表示させると共に、使用者（利用者）の接触操作に応じて入力を行うためのタッチパネルディスプレイ１２を備えている。また、図２に示すように、画像表示装置１０による画像表示制御をはじめとする各種制御を実行する制御部１４と、複数の画像情報（画像ファイル）をはじめとする各種情報を記憶する記憶部１６と、公衆電話回線３６を介して接続された外部機器との間で電話通信乃至ファクシミリ通信を行うための第１通信部１８と、ＬＡＮ３８乃至インターネットを介して接続された外部機器との間でＬＡＮ通信乃至インターネット通信を行うための第２通信部２０と、画像表示装置１０に近接する人の存在を検知するセンサ部４０と、音声入力装置であるマイクロフォン４２と、音声出力装置であるスピーカ４４とを、備えて構成されている。
【００２１】
図１及び図２に示すように、タッチパネルディスプレイ１２は、タッチパネルディスプレイ１２に所定の映像を表示させるディスプレイ（表示部）としての表示装置２２と、使用者の指や備え付けのペン４６等によるタッチパネルディスプレイ１２への接触により入力を行うタッチパネル２４とを、備えて構成されている。また、画像表示装置１０には、表示装置２２による画像（映像）の表示制御を行う表示制御部２６と、タッチパネル２４により入力される入力情報を処理する入力制御部２８とが備えられており、それら表示制御部２６及び入力制御部２８により表示装置２２及びタッチパネル２４を介してタッチパネルディスプレイ１２による画像表示制御乃至情報入力制御が実行される。
【００２２】
また、図２に示すように、制御部１４は、中央演算処理装置であるＣＰＵ３０と、読出専用メモリであるＲＯＭ３２と、随時書込読出メモリであるＲＡＭ３４とを、備えて構成されている。すなわち、制御部１４は、ＲＡＭ３４の一時記憶機能を利用しつつＲＯＭ３２に記憶された情報に基づいてＣＰＵ３０により種々の情報処理を実行する所謂マイクロコンピュータであり、表示制御部２６を介してタッチパネルディスプレイ１２（表示装置２２）に所定の画像を表示させる画像表示制御、タッチパネルディスプレイ１２（タッチパネル２４）への接触操作に応じて入力制御部２８を介して入力される入力信号を処理する入力処理制御、第１通信部１８を介して他の機器との間で情報の送受信を行う電話通信制御乃至ファクシミリ通信制御、及び第２通信部２０を介して他の機器との間で情報の送受信を行うＬＡＮ通信制御乃至インターネット通信制御等、本実施例の画像表示装置１０に関する各種制御を実行する。
【００２３】
記憶部１６は、ハードディスクやフラッシュメモリ等の記憶装置であり、画像データベースをはじめとする各種データベースを備えている。この画像データベースには、表示制御部２６を介してタッチパネルディスプレイ１２（表示装置２２）に所定の画像を表示させるための画像情報として、例えばＪＰＥＧ（Joint Photographic Experts Group）、ＰＮＧ（Portable Network Graphics）、ＧＩＦ（Graphics Interchange Format）等のファイル形式の複数の画像データ（画像ファイル）が、それぞれの識別情報をインデックスとして記憶されている。なお、表示装置２２は、静止画像のみならず動画を表示させるものであってもよく、画像データベース４０に記憶される画像情報は、静止画に対応するものであると動画に対応するものであるとを問わない。
【００２４】
第１通信部１８は、例えば画像表示装置１０を無線により或いは有線接続にて公衆電話回線３６に接続する通信インターフェイスであり、好適にはモデムを備えている。画像表示装置１０は、第１通信部１８により公衆電話回線３６に接続されることで、同じく公衆電話回線３６に接続された外部機器との間で電話通信乃至ファクシミリ通信が可能とされる。この電話通信では、後述する電話通信制御手段５２により、マイクロフォン４２を介して入力される音声情報が第１通信部１８及び公衆電話回線３６を介して通信相手である外部機器へ送信される一方、その外部機器において入力された音声情報が公衆電話回線３６及び第１通信部１８を介してスピーカ４４から出力されることにより、外部機器との間で音声による通話が行われる。また、ファクシミリ通信では、後述するファクシミリ通信制御手段５４により、送信対象となる二次元情報（画像情報）が第１通信部１８及び公衆電話回線３６を介して通信相手である外部機器へ送信される一方、その外部機器において入力された二次元情報が公衆電話回線３６及び第１通信部１８を介して記憶部１６に記憶されることにより、外部機器との間で二次元情報の送受信が行われる。なお、ファクシミリ通信における送信対象となる二次元情報は、予め画像データベースに記憶された画像情報であってもよく、図示しないスキャナによって取り込まれる画像情報であってもよい。また、ファクシミリ通信における通信相手から受信されて記憶部１６に記憶された二次元情報は、表示装置２２に表示されるものであってもよいし、図示しないプリンタにより印刷可能とされたものであってもよい。
【００２５】
第２通信部２０は、例えば画像表示装置１０を無線により或いは有線接続にてＬＡＮ３８に接続する通信インターフェイスである。画像表示装置１０は、第２通信部２０によりＬＡＮ３８に接続されることで、ＬＡＮ３８を介して例えば図示しないプリンタ等の外部機器との間で情報の通信が可能とされる。また、ＬＡＮ３８が図示しないルータ等を介して公衆電話回線、ＡＤＳＬ回線、或いは光ファイバ回線等から構成されるＷＷＷ（World Wide Web）すなわちインターネットに接続可能とされ、画像表示装置１０とインターネットに接続された外部機器との間での情報の通信が可能とされる。すなわち、後述するメーラ５６により、インターネットに接続された外部機器との間で電子メールの送受信が可能とされると共に、後述するブラウザ５８により、インターネットに接続されたサーバに記憶されたウェブサイトの閲覧が可能とされる。また、後述するゲームアプリケーション６０により、インターネットに接続されたサーバ装置及び外部機器との間で所謂オンラインゲームの実行が可能とされる。
【００２６】
また、本実施例の画像表示装置１０においては、第１通信部１８或いは第２通信部２０を介して他の画像表示装置１０′（図２乃至図３に示す構成を備えた本実施例の画像表示装置１０である別の装置）との間で相互に情報の送受信を行い得るものである。例えば、画像表示装置１０と他の画像表示装置１０′との間で公衆電話回線３６或いはインターネットを介して画像情報の送受信を行うことができるように構成されている。
【００２７】
センサ部４０は、画像表示装置１０に近接する人の存在を検知する装置であり、好適には、赤外線、超音波、或いは可視光等により人間（人体）の所在を検知する人感センサである。また、好適には、ＣＣＤ（Charge Coupled Device）等の撮像素子を用いて映像を電気信号に変換し、その映像情報をデジタル化して制御部１４に供給する撮像装置としてのデジタルカメラである。また、好適には、人の指等による接触を検知するタッチセンサであり、タッチパネルディスプレイ１２におけるタッチパネル２４が用いられてもよい。また、好適には、人の音声を検知する音声センサであり、マイクロフォン４２が用いられてもよい。
【００２８】
図３は、制御部１４に備えられた制御機能の要部を説明する機能ブロック線図である。この図３に示すスライドショー表示制御手段５０は、複数の画像を所定の時間間隔でタッチパネルディスプレイ１２（表示装置２２）に順次切替表示させるスライドショー表示制御を実行する。図４は、このスライドショー表示制御手段５０によるスライドショー表示制御において、表示装置２２に複数の画像が断続的に切替表示される様子を説明する図である。この図４に示すように、スライドショー表示制御手段５０は、タッチパネル２４等を介して所定のスライドショー表示制御開始操作が行われた場合、画像データベースに記憶された複数の画像情報を予め記憶部１６等に記憶されたスライドショーリストに従って所定の順番で読み出し、各画像情報に対応する画像を表示装置２２に所定時間表示させると共に、その所定時間が経過した段階で次の表示順の画像情報に対応する画像を表示装置２２に所定時間表示させるというように、予め定められた複数の画像を所定の順番で表示装置２２に順次１枚ずつ表示させる。また、好適には、各スライドショー表示制御に関して複数の画像が一通り表示され終えた場合には、そのスライドショー表示制御に係る複数の画像をまた先頭から断続的に切替表示させるスライドショー表示制御を繰り返す。なお、各スライドショー表示制御において、表示装置２２に複数の画像が同時に表示される場合も考えられる。
【００２９】
例えば、図４に示す例では、先ず、時点ｔ０からｔ１までの間、駅から電車が発進する風景を撮影した画像４８ａが表示装置２２に表示される。次に、時点ｔ１に達した段階で画像の切替制御が開始され、時点ｔ２からｔ３までの間、一戸建ての家を撮影した画像４８ｂが表示装置２２に表示される。次に、時点ｔ３に達した段階で画像の切替制御が開始され、時点ｔ４からｔ５までの間、高層ビルを撮影した画像４８ｃが表示装置２２に表示される。次に、時点ｔ５に達した段階で画像の切替制御が開始され、時点ｔ６からｔ７までの間、駅から電車が発進する風景を撮影した画像４８ａが再び表示装置２２に表示される。このように、本実施例のスライドショー表示制御では、複数の画像が予め定められた順番に所定の時間間隔でタッチパネルディスプレイ１２（表示装置２２）に断続的に切替表示される。なお、図４に示す例における各画像の表示時間すなわち画像４８ａの表示時間である時点ｔ０からｔ１の時間間隔、画像４８ｂの表示時間である時点ｔ２からｔ３の時間間隔、画像４８ｃの表示時間である時点ｔ４からｔ５の時間間隔、及び画像４８ａの表示時間である時点ｔ６からｔ７の時間間隔は、好適には、初期設定において何れも等しい時間間隔である。すなわち、複数の画像４８ａ〜４８ｃ（以下、特に区別しない場合には単に画像４８という）は等時間隔で表示装置２２に切替表示されるものであるが、例えばタッチパネル２４により所定の操作が行われること等によりその表示時間が変更（延長乃至短縮）可能とされたものであってもよい。
【００３０】
図３に示す電話通信制御手段５２は、画像表示装置１０と、公衆電話回線３６を介して接続された所定の識別情報（例えば、電話番号）によって識別される外部機器との間の電話通信を制御する。例えば、タッチパネル２４等による所定の操作を介して通信相手である外部機器との間で電話通信が成立した場合には、マイクロフォン４２を介して入力される音声情報を第１通信部１８及び公衆電話回線３６を介して通信相手である外部機器へ送信する一方、公衆電話回線３６及び第１通信部１８を介して受信される外部機器からの音声情報をスピーカ４４から出力させることにより、外部機器との間で音声による通話すなわち電話通信を実現する。
【００３１】
ファクシミリ通信制御手段５４は、画像表示装置１０と、公衆電話回線３６を介して接続された所定の識別情報（例えば、ファクシミリ番号）によって識別される外部機器との間のファクシミリ通信を制御する。例えば、送信対象となる二次元情報（画像情報）を第１通信部１８及び公衆電話回線３６を介して通信相手である外部機器へ送信する一方、公衆電話回線３６及び第１通信部１８を介して受信される外部機器からの二次元情報を記憶部１６に記憶することにより、外部機器との間で二次元情報の送受信を実現する。
【００３２】
メーラ（Mailer）５６は、画像表示装置１０と、インターネットを介して接続された所定の識別情報（例えば、メールアドレス）によって識別される外部機器との間の電子メールの送受信を制御する電子メール送受信制御手段である。例えば、通信に係る図示しないメールサーバと同一のプロトコルにより電子メールの送受信を行うものであり、例えば送信にＳＭＴＰ、受信にＰＯＰ３を用いるＭＵＡ（Mail User Agent）である。メーラ５６は、タッチパネル２４等による入力操作に応じて作成された電子メールをＬＡＮ３８乃至インターネットを介してメールサーバへ送信する。その電子メールはメールアドレスによって識別される通信相手である外部機器へ送信される。また、通信相手である外部機器から送信された電子メールは、インターネットを介してメールサーバに蓄積される。サーバに蓄積された電子メールはタッチパネル２４等による入力操作に応じてメーラ５６により受信され、記憶部１６に形成された電子メールデータベース（受信メールボックス）等に格納される。
【００３３】
ブラウザ（Browser）５８は、インターネット上のウェブページすなわちインターネットに接続されたサーバに記憶されたウェブページを表示装置２２に表示させるためのウェブページ閲覧制御手段（ウェブブラウザ）である。このウェブページとは、例えば識別情報であるＵＲＬ（Uniform Resource Locator）により識別されるＨＴＭＬ（hypertext markup language）形式或いはＸＭＬ（extensible markup language）形式のファイルであり、インターネットに接続されたサーバ装置に任意の通信端末による閲覧可能に記憶されている。ブラウザ５８は、タッチパネル２４等により入力されるＵＲＬに対応するウェブページをインターネット上から取得し、取得されたウェブページを表示装置２２に表示させる。また、表示装置２２に表示されたウェブページにおけるハイパーリンクに対応してタッチパネル２４等により入力される入力情報に応じて、他のウェブページに移動したりファイルのダウンロードを行う等の各種制御を行う。
【００３４】
ゲームアプリケーション６０は、画像表示装置１０により所定のゲームを実行するゲーム実行制御手段である。例えば、画像表示装置１０と、インターネットに接続されたサーバ装置及び外部機器との間で所定のオンラインゲーム（Online Game）を実行する。このオンラインゲームとは、インターネットを介して専用のサーバ装置とクライアントマシンである画像表示装置１０乃至外部機器とを接続し、オンラインで複数のクライアントマシンで同期して同じゲーム進行を共有することができるゲームであり、各クライアントマシンは所定の識別情報（例えば、ユーザＩＤ）をもってゲームに参加する。ゲームアプリケーション６０は、タッチパネル２４等による入力操作に応じて斯かるオンラインゲームにおける各種制御を実行する。
【００３５】
履歴保存手段６２は、画像表示装置１０の使用に係る各種履歴情報を保存する。ここで、画像表示装置１０においては、その画像表示装置１０の使用に係る人（ユーザ）として、それぞれ識別情報によって識別される複数の使用者が登録可能とされており、履歴保存手段６２は、好適には、複数の使用者による画像表示装置１０の使用に係る履歴情報を、各使用者の識別情報と対応付けて保存する。なお、以下の実施例においては、図５に示すように、複数種類の履歴情報が一元的に履歴データベース７２に保存される態様について説明するが、履歴保存手段６２は、複数種類の履歴情報をそれぞれ個別のデータベースに保存するものであってもよい。
【００３６】
履歴保存手段６２は、好適には、公衆電話回線３６或いはインターネットを介して他の画像表示装置１０′との間の情報の送受信に係る履歴情報を保存する。例えば、公衆電話回線３６或いはインターネットを介して所定の識別情報に対応する他の画像表示装置１０′から画像情報の受信があった場合には、その画像表示装置１０′の識別情報及び受信のあった日時を履歴情報として記憶部１６等に記憶する。また、受信された画像情報を履歴情報に対応付けて記憶部１６等に記憶する。また、好適には、画像表示装置１０から公衆電話回線３６或いはインターネットを介して所定の識別情報に対応する他の画像表示装置１０′に画像情報を送信した場合には、その画像表示装置１０′の識別情報及び送信を行った日時を履歴情報として記憶部１６等に記憶する。
【００３７】
また、履歴保存手段６２は、好適には、公衆電話回線３６を介して送受信される音声情報に係る履歴情報すなわち電話通信制御手段５２による電話通信に係る着信履歴情報を保存する。例えば、公衆電話回線３６を介して所定の電話番号に対応する通信相手（外部機器）から電話通信の着信があった場合には、その通話相手の電話番号及び着信のあった日時を着信に係る履歴情報として記憶部１６等に記憶する。また、着信が行われながらタッチパネル２４等を介して所定の通話開始操作が行われなかった場合には、通信相手である外部機器から送信される音声情報を図示しない録音部により録音し、伝言メッセージ（留守録音）として着信に係る履歴情報に対応付けて記憶部１６等に記憶する。また、好適には、公衆電話回線３６を介して所定の電話番号に対応する通信相手（外部機器）に電話通信に係る送信（呼出）を行った場合には、その通話相手の電話番号及び送信を行った日時を履歴情報として記憶部１６等に記憶する。
【００３８】
また、履歴保存手段６２は、好適には、公衆電話回線３６を介して送受信されるファクシミリ情報に係る履歴情報すなわちファクシミリ通信制御手段５４によるファクシミリ通信に係る履歴情報を保存する。例えば、公衆電話回線３６を介して所定のファクシミリ番号に対応する通信相手（外部機器）からファクシミリ通信の受信があった場合には、その通信相手のファクシミリ番号及び受信のあった日時を履歴情報として記憶部１６等に記憶する。また、好適には、受信された二次元情報を図示しないプリンタにより印刷するか、或いはその二次元情報を履歴情報に対応付けて記憶部１６等に記憶する。また、好適には、公衆電話回線３６を介して所定のファクシミリ番号に対応する通信相手（外部機器）にファクシミリ通信に係る送信（二次元情報の送信）を行った場合には、その通信相手のファクシミリ番号及び送信を行った日時を履歴情報として記憶部１６等に記憶する。
【００３９】
また、履歴保存手段６２は、好適には、インターネットを介して送受信される電子メールに係る履歴情報すなわちメーラ５６による電子メールの送受信に係る履歴情報を保存する。例えば、インターネットを介して所定のメールアドレスに対応する通信相手（外部機器）から電子メールの受信があった場合には、その通信相手のメールアドレス及び受信のあった日時を履歴情報として記憶部１６等に記憶する。また、受信された電子メールは記憶部１６に形成された電子メールデータベースに格納されるが、この電子メールを着信に係る履歴情報に対応付けて記憶部１６等に記憶するものであってもよい。また、好適には、インターネットを介して所定のメールアドレスに対応する通信相手（外部機器）に電子メールの送信を行った場合には、その通信相手のメールアドレス及び送信を行った日時を履歴情報として記憶部１６等に記憶する。
【００４０】
また、履歴保存手段６２は、好適には、インターネット上のウェブサイトにおける更新に係る履歴情報を保存する。例えば、ブログ（blog）に相当するウェブサイトにおける更新に係る履歴情報を保存する。このブログとは、投稿日時等によって区分されるコンテンツとしてのテキスト情報を投稿可能としたり、コンテンツ毎に閲覧者がコメント（レスポンス）を投稿可能としたり、所謂トラックバックにより他のウェブサイトにおいてリンクを張ると共にコンテンツの内容を追記したりする仕組みを備えた電子日記サイトであり、その更新（新規コンテンツの投稿、新規コメントの投稿等）に係る履歴情報は、ＲＳＳ（RDF Site Summary）リーダ等により取得することができる。すなわち、履歴保存手段６２は、好適には、予め登録された所定のブログに相当するウェブサイトにおける更新に係る履歴情報を、ＲＳＳリーダ等により取得して記憶部１６等に記憶する。
【００４１】
また、履歴保存手段６２は、好適には、ゲームアプリケーション６０の使用に係る履歴情報を保存する。例えば、インターネットを介して接続されたサーバ装置及び他のクライアントマシンとの間でゲームアプリケーション６０により実行されるオンラインゲームに関して、予め登録されたアカウントのユーザがログインを行ったアクセス履歴に係る履歴情報を取得して記憶部１６等に記憶する。このアクセス履歴に係る履歴情報は、好適には、オンラインゲームに係るサーバ装置から供給されるものであるが、クライアントマシンから直接に供給されるものであってもよい。また、予め登録されたアカウントのユーザがログインを行ってからログアウトを行うまでの時間を取得可能とするものであってもよい。また、好適には、画像表示装置１０において自己のアカウントに対応してログインを行った場合には、そのログインに係るアクセス履歴及びアクセス日時を履歴情報として記憶部１６等に記憶する。
【００４２】
図５は、履歴保存手段６２により保存された履歴情報を記憶する履歴データベース７２を例示する図である。この図５に示す履歴データベース７２は、例えば記憶部１６に設けられたものであり、履歴保存手段６２により保存された複数種類の履歴情報が一元的に記憶される。すなわち、機能「写真」に対応する画像情報の受信に係る履歴情報、機能「電話」に対応する電話通信の着信に係る履歴情報、ファクシミリ通信の着信に係る履歴情報、機能「メール」に対応する電子メールの受信に係る履歴情報、機能「ブラウザ」に対応するインターネット上のウェブサイトにおける更新に係る履歴情報、及びオンラインゲームにおけるアクセス履歴に係る履歴情報等が、履歴情報の種類（機能）及び日時と対応付けられて記憶される。また、好適には、各履歴情報が対象人物すなわち画像表示装置１０の複数の使用者それぞれと対応付けられて記憶される。この履歴情報の対象人物とは、履歴情報に係る情報の送信対象である人物であり、例えば電子メールであれば各使用者に係るメールアドレスに基づいて判定される。すなわち、Ａさんに対応するメールアドレスに対して送られてきた電子メールの対象人物はＡさんとなり、Ｂさんに対応して登録されたブログの更新履歴の対象人物はＢさんとなる。また、電話番号及びファクシミリ番号等が各使用者に対応して個別に設定されている態様においては、それらに基づいて電話通信及びファクシミリ通信に係る履歴情報の対象人物が判定される。
【００４３】
また、履歴データベース７２においては、記憶された履歴情報に係る表示情報（割込情報）がスライドショー表示制御において表示されたか否かを示す再生フラグが各履歴情報に対応して設定されるようになっている。図５においては、スライドショー表示制御において表示された履歴情報が「済」、未だ表示されていない履歴情報が「未」とされるフラグを例示している。なお、履歴データベース７２に記憶された履歴情報は、例えば記憶されてから所定時間（例えば、２日間）が経過することにより消去されたり、保持容量が所定値（例えば、５ＭＢ）に達した段階で古いものから消去されたり、記憶件数が所定値（例えば、２０個）以上となった場合に古いものから消去されたりといったように、所定の条件で自動消去されることが望ましい。
【００４４】
図３に示す検知手段６４は、センサ部４０を介して人の存在を検知する。例えば、人感センサとしてのセンサ部４０により赤外線、超音波、或いは可視光等を介して画像表示装置１０の付近に人が存在するか否かを検知する。また、デジタルカメラとしてのセンサ部４０により人の像が撮影できるか否かを判定し、その判定結果に基づいて人の存在を検知する。また、タッチセンサとしてのセンサ部４０により人の指等による接触が行われたか否かを判定し、その判定結果に基づいて人の存在を検知する。また、音声センサとしてのセンサ部４０により人の音声情報が入力されたか否かを判定し、その判定結果に基づいて人の存在を検知する。
【００４５】
また、検知手段６４は、好適には、画像表示装置１０の複数の使用者それぞれを識別する検知を行う。この識別を行うために、画像表示装置１０の記憶部１６等には、予め登録された複数の使用者それぞれを識別するための情報が記憶されている。この情報は、例えば、各利用者の顔写真に相当する画像情報、或いは各利用者の音声を録音した音声情報等である。検知手段６４は、好適には、センサ部４０としてのデジタルカメラにより撮影された人の顔に相当する撮像情報と、記憶部１６に予め記憶された各使用者の顔写真に相当する画像情報とを比較することにより、センサ部４０により検知された人が画像表示装置１０の複数の使用者の何れであるかを識別する。また、好適には、センサ部４０としての音声センサにより入力された人の音声情報と、記憶部１６に予め記憶された各使用者の音声に相当する音声情報とを比較することにより、センサ部４０により検知された人が画像表示装置１０の複数の使用者の何れであるかを識別する。
【００４６】
履歴取得手段６６は、検知手段６４により人の存在が検知された場合には、履歴保存手段６２より保存された履歴情報を取得する。好適には、検知手段６４により人の存在が検知された後、予め定められた所定時間（例えば、３０秒）内にタッチパネル２４等による入力操作が行われなかった場合には、履歴保存手段６２より保存された履歴情報を取得する。例えば、履歴保存手段６２より履歴データベース７２に記憶された履歴情報のうち、スライドショー表示制御において表示されたか否かを示す再生フラグが「未」であるものを取得し、ＲＡＭ３４等に記憶（展開）する。また、好適には、検知手段６４により識別された使用者に対応付けられて保存された履歴情報を取得する。例えば、センサ部４０により人の存在が検知されると共に検知手段６４によりその人が画像表示装置１０の複数の使用者の何れであるか識別された場合には、履歴保存手段６２より履歴データベース７２に記憶された履歴情報のうち、識別された使用者を対象人物とするものであり且つスライドショー表示制御において表示されたか否かを示す再生フラグが「未」であるものを取得し、ＲＡＭ３４等に記憶する。なお、上記制御において、検知手段６４により人の存在が検知された後、予め定められた所定時間内にタッチパネル２４等による入力操作が行われた場合に履歴情報の取得を行わないのは、利用者が情報の閲覧等に係る操作を既に開始しているものと判断されるためであるが、検知手段６４により人の存在が検知されることを条件に履歴情報の取得を行うものであってもよい。
【００４７】
割込情報作成手段６８は、履歴取得手段６６により取得された履歴情報に応じた割込情報を作成する。この割込情報は、履歴情報の内容に対応して表示装置２２に表示される表示情報であり、例えば静止画としての画像情報或いはエフェクト等を伴う動画情報である。なお、この表示情報は、例えば画像情報の前面側にテキスト情報が合成されることにより１つの画像ファイルとして作成されるものであってもよいし、画像情報の前面側レイヤにテキスト情報に対応するテロップを重ねることにより新たな画像ファイルを作成することなしに表示装置２２に表示させるものであってもよい。
【００４８】
図６は、図５に示す履歴データベース７２に記憶された履歴情報の１つである、機能「写真」、日時「2009/11/26 8:00AM」、関連情報「01213453.bmp Ｃさんから受信」、対象人物「Ａさん」に係る履歴情報に対応して作成される割込情報７４ａ（以下、特に別の履歴情報に対応する割込情報と区別しない場合には単に割込情報７４という）を例示する図であり、受信された画像情報の前面側に受信日時及び送信元を示すテキスト情報が合成された表示情報である。
【００４９】
また、図７は、図５に示す履歴データベース７２に記憶された履歴情報の１つである、機能「電話」、日時「2009/11/25 10:00PM」、関連情報「着信履歴１ Ｄさんから着信」、対象人物「Ａさん」に係る履歴情報に対応して作成される割込情報７４ｂを例示する図であり、予め記憶された送信元の電話番号に対応するイメージ（例えば、Ｄさんの顔写真）と、着信日時及び送信元を示すテキスト情報とを含む表示情報である。
【００５０】
また、図８は、図５に示す履歴データベース７２に記憶された履歴情報の１つである、機能「写真」、日時「2009/11/25 9:00PM」、関連情報「012134223.bmp Ｅさんから受信」、対象人物「Ｂさん」に係る履歴情報に対応して作成される割込情報７４ｃを例示する図であり、受信された画像情報の前面側に受信日時及び送信元を示すテキスト情報が合成された表示情報である。
【００５１】
また、図９は、図５に示す履歴データベース７２に記憶された履歴情報の１つである、機能「電話」、日時「2009/11/25 8:00PM」、関連情報「着信履歴２ Ｅさんから着信」、対象人物「Ｂさん」に係る履歴情報に対応して作成される割込情報７４ｄを例示する図であり、予め記憶された送信元の電話番号に対応するイメージ（例えば、Ｅさんの顔写真）と、着信日時及び送信元を示すテキスト情報とを含む表示情報である。
【００５２】
また、図１０は、図５に示す履歴データベース７２に記憶された履歴情報の１つである、機能「ブラウザ」、日時「2009/11/25 10:00AM」、関連情報「http://www.goyahgle.co.jp/search...」、対象人物「Ａさん」に係る履歴情報に対応して作成される割込情報７４ｅを例示する図であり、更新されたウェブサイト（ブログ）における更新記事（新規投稿コンテンツ）、更新日時、及びウェブサイトの管理者を示すテキスト情報を含む表示情報である。
【００５３】
また、図１１は、図５に示す履歴データベース７２に記憶された履歴情報の１つである、機能「メール」、日時「2009/11/25 8:00AM」、関連情報「メールフォルダ/0120 Ｆさんから受信」、対象人物「Ａさん」に係る履歴情報に対応して作成される割込情報７４ｆを例示する図であり、受信された電子メールのタイトル、本文、受信日時、及び送信元を示すテキスト情報を含む表示情報である。
【００５４】
図３に示す割込制御手段７０は、スライドショー表示制御手段５０によるスライドショー表示制御において切り替え表示される複数の画像に、割込情報作成手段６８により作成された割込情報を予め定められた条件で割り込ませる制御を行う。例えば、記憶部１６等に記憶されたスライドショーリストに、割込情報作成手段６８により作成された割込情報としての表示情報を、スライドショーにおいて切替表示される画像の１つとして組み込む制御を行う。この割込制御手段７０により割込情報が組み込まれたスライドショーリストに基づいてスライドショー表示制御手段５０によるスライドショー表示制御が行われることにより、割込情報作成手段６８により作成された割込情報がスライドショー表示制御において切替表示される画像と同等に、図４を用いて前述したような所定の時間間隔で順次切替表示される。なお、スライドショーにおける各割込情報７４の表示時間は、通常のスライドショー表示制御における各画像４８の表示時間と同じとされてもよいし、それよりも長時間或いは短時間とされてもよい。また、別の態様としては、画像情報の送受信、電話通信、ファクシミリ通信等の機能のうち使用頻度が高い順に割込情報７４の表示時間を長くする制御を行うものであってもよい。
【００５５】
割込制御手段７０は、好適には、履歴取得手段６６により複数の履歴情報が取得された場合には、各履歴情報の日時に基づいて複数の画像への割り込み順を決定する。例えば、対応する履歴情報の日時（履歴データベース７２において対応付けられた日時）が新しいものから順に表示されるようにスライドショーに組み込む。図１２は、検知手段６４によりＡさんの存在が検知された場合におけるスライドショー表示制御の一例について説明する図である。検知手段６４によりＡさんの存在が検知された場合には、履歴データベース７２からＡさんを対象人物とする複数の履歴情報が取得され、ＲＡＭ３４に展開される。そして、それら複数の履歴情報に対応する割込情報７４ａ、７４ｂ、７４ｅ、７４ｆが作成され、各履歴情報に対応付けられた日時が新しいものから順に断続的に切替表示されるスライドショー表示制御が実行される。また、図１２に示す例とは逆に、対応する履歴情報の日時が古いものから順に表示されるようにスライドショーに組み込む態様も考えられる。
【００５６】
また、割込制御手段７０は、好適には、履歴取得手段６６により複数の使用者に対応付けられた履歴情報が取得された場合には、各使用者に対応付けられた履歴情報に応じた割込情報７４がスライドショー表示制御において交互に表示されるように、それらの割込情報を複数の画像に割り込ませる制御を行う。図１３は、検知手段６４によりＡさん及びＢさんの存在が検知された場合におけるスライドショー表示制御の一例について説明する図である。検知手段６４によりＡさん及びＢさんの存在が検知された場合には、履歴データベース７２からＡさん及びＢさんを対象人物とする複数の履歴情報が取得され、ＲＡＭ３４に展開される。そして、それら複数の履歴情報に対応する割込情報７４ａ、７４ｂ、７４ｃ、７４ｄ、７４ｅ、７４ｆが作成され、各使用者に対応付けられた履歴情報に応じた割込情報７４がスライドショー表示制御において交互に表示されるようにスライドショーリストに組み込まれる。図１３に示す例では、先ず、Ａさんを対象人物とする履歴情報に対応し且つ日時が最も新しい割込情報７４ａが、次に、Ｂさんを対象人物とする履歴情報に対応し且つ日時が最も新しい割込情報７４ｃが、次に、Ａさんを対象人物とする履歴情報に対応し且つ日時が２番目に新しい割込情報７４ｂが、次に、Ｂさんを対象人物とする履歴情報に対応し且つ日時が２番目に新しい割込情報７４ｄが、次に、Ａさんを対象人物とする履歴情報に対応し且つ日時が３番目に新しい割込情報７４ｅが、次に、Ａさんを対象人物とする履歴情報に対応し且つ日時が最も古い割込情報７４ｆが、順次断続的に切替表示されるスライドショー表示制御が実行される。換言すれば、各利用者に対応付けられた履歴情報に応じた割込情報７４が非連続となるように切替表示されるスライドショー表示制御が実行される。
【００５７】
また、割込制御手段７０は、好適には、履歴取得手段６６により複数の使用者に対応付けられた履歴情報が取得された場合には、各使用者に対応付けられた履歴情報に応じた割込情報７４がスライドショー表示制御において連続して表示されるように、それらの割込情報を複数の画像に割り込ませる制御を行う。図１４は、検知手段６４によりＡさん及びＢさんの存在が検知された場合におけるスライドショー表示制御の他の一例について説明する図である。図１４に示す例では、先ず、Ａさんを対象人物とする履歴情報に対応する割込情報７４ａ、７４ｂ、７４ｅ、７４ｆが対応する履歴情報の日時が新しいものから順に切替表示された後、Ｂさんを対象人物とする履歴情報に対応する割込情報７４ｃ、７４ｄが対応する履歴情報の日時が新しいものから順に切替表示されるスライドショー表示制御が実行される。また、検知手段６４により各使用者が継続して検知された時間を検出し、その時間が長い使用者ほど優先的に割込情報７４を表示させる制御を行うものであってもよい。
【００５８】
スライドショー表示制御手段５０は、割込制御手段７０により割り込まされた表示情報がスライドショー表示制御において表示されたか否かを示す再生フラグを記憶すると共に、その再生フラグに基づいて該当するスライドショー表示制御における割込制御手段７０により割り込まされた表示情報の表示を制御する。例えば、図５に示すように履歴データベース７２に記憶された各履歴情報について、割込情報作成手段６８により対応する割込情報が作成されると共にその割込情報が割込制御手段７０により割り込まされ、スライドショーにおいて少なくとも１回割込情報が表示された履歴情報の再生フラグを「済」とする。スライドショー表示制御手段５０は、好適には、履歴データベース７２における再生フラグが「済」とされた履歴情報に対応する表示情報は表示させず、再生フラグが「未」とされた履歴情報に対応する表示情報のみをスライドショーにおける表示対象とする。換言すれば、履歴情報作成手段６８は、履歴データベース７２における再生フラグが「済」とされた履歴情報に対応する割込情報は作成せず、再生フラグが「未」とされた履歴情報に対応する割込情報のみを作成する。また、好適には、履歴データベース７２において再生フラグが「済」とされた履歴情報は、所定の条件（例えば、再生フラグが「済」となってから所定時間経過）が成立した後に削除される。
【００５９】
図１５は、画像表示装置１０の制御部１４によるスライドショー表示制御の要部を説明するフローチャートであり、所定の周期で繰り返し実行されるものである。
【００６０】
先ず、ステップ（以下、ステップを省略する）Ｓ１において、センサ部４０により人の存在が検知されたか否かが判断される。また、検知された人が画像表示装置１０の複数の使用者の何れであるかが識別される。このＳ１の判断が否定される場合すなわちセンサ部４０により人の存在が検知されなかった場合には、Ｓ２において、通常のスライドショー表示制御すなわち図４に示すように予め定められたスライドショーリストに基づいて複数の画像４８が順次切替表示されるスライドショー表示制御が実行された後、Ｓ１６以下の処理が実行される。また、Ｓ１の判断が肯定される場合すなわちセンサ部４０により人の存在が検知されると共に対応する使用者が識別された場合には、Ｓ３において、センサ部４０による人の検知から予め定められた規定時間（例えば、３０秒）内にタッチパネル２４による操作が行われたか否かが判断される。このＳ３の判断が否定される場合には、Ｓ７以下の処理が実行される。また、Ｓ３の判断が肯定される場合には、Ｓ４において、各使用者に対応する画像表示装置１０の使用に係る履歴情報が取得される。次に、Ｓ５において、履歴データベース７２に記憶された履歴情報乃至各履歴情報に対応する割込情報が更新される。次に、Ｓ６において、制御終了であるか否かが判断される。このＳ６の判断が否定される場合には、Ｓ１以下の処理が再び実行されるが、Ｓ６の判断が肯定される場合には、それをもって本ルーチンが終了させられる。
【００６１】
Ｓ７においては、割込情報を作成するための情報として履歴データベース７２に記憶された履歴情報（好適には、識別された使用者の履歴情報）が読み出され、ＲＡＭ３４に展開される。また、各履歴情報の取得日時、対象となる使用者等に応じて、読み出された履歴情報が並び替えさせられる。次に、Ｓ８において、ＲＡＭ３４に展開された履歴情報それぞれに対応付けられた再生フラグ及び再生位置が確認される。すなわち、再生フラグが「済」から「未」に切り替わっている位置を確認し、再生フラグが「未」となっている位置から再生対象とする。次に、Ｓ９において、最終時刻の記憶があるか否かが判断される。すなわち、ＲＡＭ３４に展開された履歴情報がすべて再生済みであり、それを示す最終時刻が記憶されているか否かが判断される。このＳ９の判断が肯定される場合には、ＲＡＭ３４に展開された履歴情報すべてが再生済みであるとして、Ｓ６以下の処理が実行されるが、Ｓ９の判断が否定される場合には、ＲＡＭ３４に展開された履歴情報に未再生の履歴情報が含まれるものとして、Ｓ１０において、割込対象となるスライドショーへの割込タイミングが検出される。例えば、割込対象となるスライドショーに関してその時点において表示されている画像の表示切替タイミングから割込情報の割込表示が行われるようにその割込タイミングが検出される。次に、Ｓ１１において、Ｓ７にてＲＡＭ３４に読み出された履歴情報のうち、Ｓ８及びＳ９にて再生対象であると判定された履歴情報に係る割込情報７４が作成され、割込対象となるスライドショーに係るスライドショーリストに組み込まれる。ここで、例えば、各履歴情報の日時に基づいて各割込情報７４の表示順が決定される。また、複数の使用者に対応する履歴情報が存在する場合には、各使用者に対応する割込情報７４が交互に表示されるようにスライドショーリストに組み込まれる。
【００６２】
次に、Ｓ１２において、履歴データベース７２に記憶された各履歴情報について、Ｓ１１にて再生された割込情報７４に対応する履歴情報の再生フラグが「済」とされる。次に、Ｓ１３において、センサ部４０により人の存在が検知されたか否かが判断される。このＳ１３の判断が否定される場合には、Ｓ６以下の処理が実行されるが、Ｓ１３の判断が肯定される場合には、Ｓ１４において、履歴データベース７２において再生フラグが「未」とされた全ての履歴情報に係る割込情報７４がスライドショーにおいて表示されたか否かが判断される。このＳ１４の判断が否定される場合には、Ｓ８以下の処理が再び実行されるが、Ｓ１４の判断が肯定される場合には、Ｓ１５において、すべての履歴情報が再生されたことを示す最終時刻が記憶された後、Ｓ６以下の処理が実行される。また、Ｓ１６においては、公衆電話回線３６或いはインターネットを介して画像情報の受信、電話通信の着信、電子メールの着信等、履歴情報の更新に係る新着情報があったか否かが判断される。このＳ１６の判断が否定される場合には、Ｓ６以下の処理が実行されるが、Ｓ１６の判断が肯定される場合には、Ｓ１７において、新着情報に対応する履歴情報が保存されて履歴データベース７２が更新された後、Ｓ６以下の処理が実行される。
【００６３】
以上の制御において、Ｓ２及びＳ１１がスライドショー表示制御手段５０の動作に、Ｓ４、Ｓ５、Ｓ１２、Ｓ１５、及びＳ１７が履歴保存手段６２の動作乃至履歴保存過程に、Ｓ１及びＳ１３が検知手段６４の動作乃至検知過程に、Ｓ７が履歴取得手段６６の動作乃至履歴取得過程に、Ｓ１１が割込情報作成手段６８の動作に、Ｓ８〜Ｓ１１が割込制御手段７０の動作乃至割込制御過程にそれぞれ対応する。
【００６４】
このように、本実施例によれば、人の存在を検知する検知手段６４（Ｓ１及びＳ１３）と、画像表示装置１０の使用に係る履歴情報を保存する履歴保存手段６２（Ｓ４、Ｓ５、Ｓ１２、Ｓ１５、及びＳ１７）と、検知手段６４により人の存在が検知された場合には、履歴保存手段６２により保存された履歴情報を取得する履歴取得手段６６（Ｓ７）と、その履歴取得手段６６により取得された履歴情報に応じた表示情報である割込情報７４を、スライドショー表示制御において切り替え表示される複数の画像に予め定められた条件で割り込ませる割込制御手段７０（Ｓ８〜Ｓ１１）とを、備えたものであることから、人の存在が検知された場合に画像表示装置１０に係る各種情報をスライドショー表示制御に割り込ませて表示させることができる。すなわち、インテリアとしての機能を損なうことなく各種情報を簡便に閲覧可能とする画像表示装置１０を提供することができる。
【００６５】
また、検知手段６４は、画像表示装置１０の複数の使用者それぞれを識別する検知を行うものであり、履歴保存手段６２は、画像表示装置１０の複数の使用者毎の使用に係る履歴情報を各使用者と対応付けて保存するものであり、履歴取得手段６６は、検知手段６４により識別された使用者に対応付けられて保存された履歴情報を取得するものであるため、画像表示装置１０の複数の使用者それぞれの存在が検知された場合に、各使用者に係る履歴情報をスライドショー表示制御に割り込ませて表示させることができる。
【００６６】
また、割込制御手段７０は、履歴取得手段６６により複数の使用者に対応付けられた履歴情報が取得された場合には、各使用者に対応付けられた履歴情報に応じた割込情報７４がスライドショー表示制御において交互に表示されるように、それらの割込情報７４を複数の画像に割り込ませるものであるため、複数の使用者それぞれに係る履歴情報を偏りなくスライドショー表示制御に割り込ませて表示させることができる。
【００６７】
また、割込制御手段７０は、履歴取得手段６６により複数の履歴情報が取得された場合には、各履歴情報の日時に基づいて複数の画像への割り込み順を決定するものであるため、複数の履歴情報を取得が新しいものから順に、或いは取得が古いものから順にスライドショー表示制御に割り込ませて表示させることができる。
【００６８】
また、履歴保存手段６２は、公衆電話回線３６を介して送受信される音声情報の着信に係る履歴情報、電子メールの着信に係る履歴情報、ファクシミリ情報の着信に係る履歴情報、及び画像表示装置１０に機能的に備えられたアプリケーションの使用に係る履歴情報のうち少なくとも１つを保存するものであるため、電話の通信履歴、新着電子メール、各種アプリケーションの使用履歴、及びファクシミリの受信履歴等の履歴情報を、スライドショー表示制御に割り込ませて表示させることができる。
【００６９】
また、スライドショー表示制御手段５０（Ｓ２及びＳ１１）は、割込制御手段７０により割り込まされた割込情報７４がスライドショー表示制御において表示されたか否かを示す再生フラグを記憶すると共に、その再生フラグに基づいて該当するスライドショー表示制御における割込制御手段７４により割り込まされた割込情報７４の表示を制御するものであるため、例えば該当するスライドショー表示制御において所定の回数表示された割込情報７４は以降表示させないというように、割込制御手段７０により割り込まされた割込情報７４の表示を好適に制御することができる。
【００７０】
また、本実施例によれば、人の存在を検知する検知過程（Ｓ１及びＳ１３）と、画像表示装置１０の使用に係る履歴情報を保存する履歴保存過程（Ｓ４、Ｓ５、Ｓ１２、Ｓ１５、及びＳ１７）と、検知過程において人の存在が検知された場合には、履歴保存過程において保存された履歴情報を取得する履歴取得過程（Ｓ７）と、その履歴取得過程において取得された履歴情報に応じた表示情報を、スライドショー表示制御において切り替え表示される複数の画像に予め定められた条件で割り込ませる割込制御過程（Ｓ８〜Ｓ１１）とを、含むものであることから、人の存在が検知された場合に画像表示装置１０に係る各種情報をスライドショー表示制御に割り込ませて表示させることができる。すなわち、インテリアとしての機能を損なうことなく各種情報を簡便に閲覧可能とする画像表示方法を提供することができる。
【００７１】
また、本実施例によれば、画像表示装置１０の制御部１４を、人の存在を検知する検知手段６４、画像表示装置１０の使用に係る履歴情報を保存する履歴保存手段６２、検知手段６４により人の存在が検知された場合には、履歴保存手段６２により保存された履歴情報を取得する履歴取得手段６６、及び履歴取得手段６６により取得された履歴情報に応じた割込情報７４を、スライドショー表示制御において切り替え表示される複数の画像に予め定められた条件で割り込ませる割込制御手段７０として機能させる画像表示プログラムであることから、人の存在が検知された場合に画像表示装置１０に係る各種情報をスライドショー表示制御に割り込ませて表示させることができる。すなわち、インテリアとしての機能を損なうことなく各種情報を簡便に閲覧可能とする画像表示プログラムを提供することができる。
【００７２】
以上、本発明の好適な実施例を図面に基づいて詳細に説明したが、本発明はこれに限定されるものではなく、更に別の態様においても実施される。
【００７３】
例えば、前述の実施例において、スライドショー表示制御手段５０、電話通信制御手段５２、ファクシミリ通信制御手段５４、メーラ５６、ブラウザ５８、ゲームアプリケーション６０、履歴保存手段６２、検知手段６４、履歴取得手段６６、割込情報作成手段６８、及び割込制御手段７０は、何れも制御部１４に機能的に備えられたものであったが、その一部乃至全部が同等の機能を奏する個別の制御部として制御部１４とは別体に備えられたものであってもよい。また、画像表示装置１０においては、タッチパネルディスプレイ１２の表示制御乃至入力情報処理を行う表示制御部２６及び入力制御部２８が制御部１４とは別体の制御部として備えられたものであったが、これらはその一方乃至両方が制御部１４に機能的に備えられたものであってもよい。
【００７４】
また、前述の実施例では、画像表示機能を有すると共に接触による入力装置として機能するタッチパネルディスプレイ１２を備えた画像表示装置１０に本発明が適用された例を説明したが、本発明の画像表示装置は必ずしもタッチパネルディスプレイを備えたものでなくともよく、画像を表示し得るディスプレイを備えた画像表示装置に広く適用されるものである。
【００７５】
また、前述の実施例では、公衆電話回線３６を介して電話通信及びファクシミリ通信を行うと共に、インターネットを介して電子メールの送受信及びウェブサイトの閲覧を行う通信システムに接続された画像表示装置１０について説明したが、例えば光ファイバ回線に接続された態様等においては、電話通信、ファクシミリ通信、電子メールの送受信、及びウェブサイトの閲覧等を共通の回線により行うものも考えられ、そのような通信システムに接続された画像表示装置にも本発明は好適に適用されるものである。
【００７６】
また、前述の実施例において、割込情報作成手段６８は、履歴データベース７２に記憶された各履歴情報に対応して個別の割込情報７４を作成するものであり、割込制御手段７０は、それら複数の割込情報７４をスライドショーにおいて切替表示されるように組み込むものであったが、例えば、各使用者に対応して１つずつの割込情報を作成し、その割込情報に複数の履歴情報に対応する内容（例えば、電話通信の着信履歴、電子メールの受信履歴、及び画像情報の受信履歴）を一括して盛り込むものであってもよい。すなわち、複数の履歴情報に対応して１つの表示情報を作成し、スライドショーに組み込むものであってもよい。
【００７７】
また、前述の実施例では、履歴保存手段６２が保存する履歴情報として画像情報の送受信に係る履歴情報、電話通信に係る履歴情報、ファクシミリ通信に係る履歴情報等を例示したが、これらはあくまで一例に過ぎず、例えばブラウザ５８に登録されたＵＲＬであるお気に入り（ブックマーク）や、インターネットのアクセス履歴等に係る履歴情報を保存するものであってもよい。
【００７８】
また、前述の実施例では、主に通信相手から受信される電子メール等の履歴情報を保存乃至スライドショーに割込表示させるものであったが、画像表示装置１０の使用者自身による画像表示装置１０の操作に係る情報を履歴情報として保存乃至スライドショーに割込表示させる態様も考えられる。例えば、電子メールの場合、昼間は電子メールでしか連絡が取れず夜に電話をしようと考え、その事を忘れていた場合は、相手からの返信履歴が表示されるまで電話をかける事に気づかない可能性がある。このような場合において、画像表示装置１０の使用者自身の操作履歴をスライドショーに割込表示させることで、その履歴情報に係る操作を思い出すきっかけになる効果が得られる等、本発明の一応の効果を奏する。
【００７９】
その他、一々例示はしないが、本発明はその趣旨を逸脱しない範囲内において種々の変更が加えられて実施されるものである。
【符号の説明】
【００８０】
１０：画像表示装置、１４：制御部、２２：表示装置（ディスプレイ）、３６：公衆電話回線（通信回線）、４８：画像、５０：スライドショー表示制御手段、６２：履歴保存手段、６４：検知手段、６６：履歴取得手段、７０：割込制御手段、７４：割込情報（表示情報）
【図１】
2011209831.tif 000003
【図２】
2011209831.tif 000004
【図３】
2011209831.tif 000005
【図４】
2011209831.tif 000006
【図５】
2011209831.tif 000007
【図７】
2011209831.tif 000008
【図９】
2011209831.tif 000009
【図１０】
2011209831.tif 000010
【図１１】
2011209831.tif 000011
【図１５】
2011209831.tif 000012
【図６】
2011209831.tif 000013
【図８】
2011209831.tif 000014
【図１２】
2011209831.tif 000015
【図１３】
2011209831.tif 000016
【図１４】
2011209831.tif 000017